(57)【要約】【課題】この発明は、構成を簡素化して、低コスト化を図るとともに、案内脚の位置調整用目盛りを上方から目視確認可能に設けて案内脚の取付位置の調整作業を容易とし、据え付け調整作業時間を短縮できるエレベータの戸の案内装置を得る。【解決手段】戸の案内装置１０は、戸５の下端部に固着され、戸５から直角に延出して間口方向に延在する被取付部１３を有する下枠１１と、被取付部１３の上面に奥行き方向に移動可能に締着された取付部１９、および取付部１９の戸５と反対側の端部から曲げられて下方に延在する支持部２０を有するアダプタ１８と、支持部２０の下端に取り付けられて敷居溝６ａに摺動可能に嵌合される戸の脚２４と、被取付部１３の上面の取付部１９の間口方向の外側に、上方から目視可能に形成された、戸の脚２４の位置調整用目盛り１６と、を備えている。【選択図】図３
2014009099.tif 000002
【特許請求の範囲】
【請求項１】
出入り口の間口方向に移動可能に配設されて該出入り口を開閉する戸の下端部に取り付けられ、敷居溝に嵌合して該戸の移動を案内するエレベータの戸の案内装置であって、
上記戸の下端部に固着され、該戸から直角に延出して間口方向に延在する被取付部を有する被取り付け部材と、
上記被取付部の上面に奥行き方向に移動可能に締着された取付部、および該取付部の上記戸と反対側の端部から曲げられて下方に延在する支持部を有するアダプタと、
上記支持部の下端に取り付けられて上記敷居溝に摺動可能に嵌合される戸の脚と、
上記被取付部の上面の上記取付部の間口方向の外側に、上方から目視可能に形成された、上記戸の脚の位置調整用目盛りと、
を備えていることを特徴とするエレベータの戸の案内装置。
【請求項２】
上記被取り付け部材は、上記被取付部の先端から曲げられて下方に延在し、雌ねじ部が形成された調整部を有し、
調整ねじが、上記支持部の上記調整部に相対する部位に、回転可能に、かつ軸方向の移動を規制されて、頭部を該調整部と反対側に延出させて配設され、ねじ部を該調整部に形成された上記雌ねじ部に螺合され、
上記取付部の締着を緩め、上記雌ねじ部に螺合された上記調整ねじを回転させることにより、上記アダプタを奥行き方向に変位させ、上記戸の位置を調整することを特徴とする請求項１記載のエレベータの戸の案内装置。
【請求項３】
上記取付部の間口方向の端部に形成された切り欠きと、
上記切り欠きに重なるように上記被取付部に形成された位置調整用穴と、を備え、
上記取付部の締着を緩め、上記切り欠きから上記位置調整用穴にロッドを差し入れて上記アダプタを奥行き方向に変位させ、上記戸の位置を調整することを特徴とする請求項１記載のエレベータの戸の案内装置。
【発明の詳細な説明】
【技術分野】
【０００１】
この発明は、エレベータのかご出入り口や乗り場出入り口を開閉する戸の下端部を案内する戸の案内装置に関するものである。
【背景技術】
【０００２】
従来、エレベータのかご出入り口や乗り場出入り口を開閉する戸は、出入り口の上部に設置されたドアレールにハンガーローラを介して吊設され、下端に締結された案内脚の下端の摺動片を敷居の案内溝に摺動可能に嵌め込まれ、ドアレールおよび案内溝に案内されて出入り口を開閉していた。
【０００３】
しかしながら、案内脚は、その上端が調整片を介してボルトで戸の下端に締結されており、調整片の介装枚数により案内脚の取り付け位置を調整し、出入り口枠と戸との隙間などを調整していたので、据え付け調整作業時間が長くなるという問題があった。
【０００４】
このような状況を鑑み、案内脚が固着された取り付け具を、戸の下端に戸の前後方向への変位可能に締結するように構成し、締結を緩めて取り付け具を戸の前後方向に変位させて案内脚の位置を調整できるようにした戸の案内装置が提案されていた（例えば、特許文献１参照）。この特許文献１に記載の従来の戸の案内装置では、調整片が不要となり、据え付け調整作業時間を短縮できるとしている。
【０００５】
また、戸の下端部と戸の脚との間に一対の楔状のスペーサを重ね合わせて挟み込み、戸の脚を戸の下端部にボルトで締結するように構成され、ボルトによる締着を緩め、スペーサの一方を傾斜方向に移動させることにより戸の下端部と戸の脚との間の間隔を調整できるようにした間隔調整装置が提案されていた（例えば、特許文献２参照）。
【先行技術文献】
【特許文献】
【０００６】
【特許文献１】特公平８−９４６７号公報
【特許文献２】特開２００７−１６１４５１号公報
【発明の概要】
【発明が解決しようとする課題】
【０００７】
特許文献１に記載の従来のエレベータの戸の案内装置では、案内脚の取付位置が戸の下端であり、しゃがんでの据え付け調整作業となる。そこで、作業者にとって、案内脚の戸の前後方向の位置が見にくく、分りにくく、調整が難しいという課題があった。
また、特許文献２に記載の間隔調整装置では、一対の楔状のスペーサがボルトで戸の脚とともに戸の下端部に共締めされているので、長い間の振動でボルトの締着が緩み、戸の脚の位置ずれが発生するおそれがあった。さらに、構造が複雑で、高価となってしまうという課題もあった。
【０００８】
本発明は、このような課題を解決するためになされたものであり、構成を簡素化して、低コスト化を図るとともに、案内脚の位置調整用目盛りを上方から目視確認可能に設けて案内脚の取付位置の調整作業を容易とし、据え付け調整作業時間を短縮できるエレベータの戸の案内装置を得ることを目的とする。
【課題を解決するための手段】
【０００９】
本発明に係るエレベータの戸の案内装置は、出入り口の間口方向に移動可能に配設されて該出入り口を開閉する戸の下端部に取り付けられ、敷居溝に嵌合して該戸の移動を案内するエレベータの戸の案内装置であって、上記戸の下端部に固着され、該戸から直角に延出して間口方向に延在する被取付部を有する被取り付け部材と、上記被取付部の上面に奥行き方向に移動可能に締着された取付部、および該取付部の上記戸と反対側の端部から曲げられて下方に延在する支持部を有するアダプタと、上記支持部の下端に取り付けられて上記敷居溝に摺動可能に嵌合される戸の脚と、上記被取付部の上面の上記取付部の間口方向の外側に、上方から目視可能に形成された、上記戸の脚の位置調整用目盛りと、を備えている。
【発明の効果】
【００１０】
本発明によれば、位置調整用目盛りが上方から目視可能に形成されているので、作業者は、取付部の締着を緩め、位置調整用目盛りを見ながら、取付部を奥行き方向に移動させ、戸の脚の位置を調整できる。そして、戸の脚の位置が決まると、取付部を締着して、据え付け調整作業が完了するので、据え付け調整作業時間が短縮される。
また、楔状のストッパや調整片が不要となり、構成が簡素化され、低コスト化を図ることができる。
【図面の簡単な説明】
【００１１】
【図１】この発明の実施の形態１に係るエレベータのかごを示す横断面図である。
【図２】この発明の実施の形態１に係るエレベータのかごのかごの戸部分を昇降路側から見た斜視図である。
【図３】この発明の実施の形態１に係るエレベータの戸の案内装置の取り付け状態を示す要部斜視図である。
【図４】この発明の実施の形態１に係るエレベータの戸の案内装置の取り付け構造を説明する分解斜視図である。
【図５】図３のＶ−Ｖ矢視断面図である。
【図６】この発明の実施の形態２に係るエレベータの戸の案内装置の取り付け状態を示す要部斜視図である。
【図７】この発明の実施の形態２に係るエレベータの戸の案内装置の位置調整作業を説明する斜視図である。
【発明を実施するための形態】
【００１２】
以下、本発明のエレベータの戸の案内装置の好適な実施の形態について図面を用いて説明する。
【００１３】
実施の形態１．
図１はこの発明の実施の形態１に係るエレベータのかごを示す横断面図、図２はこの発明の実施の形態１に係るエレベータのかごのかごの戸部分を昇降路側から見た斜視図、図３はこの発明の実施の形態１に係るエレベータの戸の案内装置の取り付け状態を示す要部斜視図、図４はこの発明の実施の形態１に係るエレベータの戸の案内装置の取り付け構造を説明する分解斜視図、図５は図３のＶ−Ｖ矢視断面図である。ここで、横断面図とは水平面で切った断面図である。
【００１４】
図１および図２において、かご室１は、かご床２、かご床２上に立設され、かご室１内を昇降路に対して隔離する周壁３、周壁３の上部を塞口する天井（図示せず）、乗り場との間で利用者の乗降を行う出入り口を構成する出入り口枠４、出入り口を開閉するかごの戸５、出入り口の間口方向に延在するようにかご床２に固設されたかご敷居６、かご敷居６の先端から垂下されたエプロン７、周壁３の出入り口横に設けられたかご操作盤８などを備える。
【００１５】
かごの戸５は、その上縁に取り付けられたローラ付きのドアハンガ（図示せず）を、出入り口の上部に取り付けられたドアレールにかけて、間口方向に走行可能に配設され、出入り口を開閉する２枚片開き戸である。そして、戸の案内装置１０が、かごの戸５の下端に取り付けられ、かご敷居６の敷居溝６ａに係合し、かごの戸５の開閉動作時に、かごの戸５の下端部を案内する。ここで、間口方向とは、かごの戸５の開閉方向である。また、奥行き方向とは、かご室１の間口方向と水平方向で直交する方向であり、出入り口側が前方、出入り口と反対側が後方となる。
【００１６】
つぎに、戸の案内装置１０の構成について、図３乃至図５を参照しつつ説明する。
【００１７】
戸の案内装置１０は、かごの戸５の裏面（昇降路側の面）下端部に固着された被取り付け部材としての下枠１１と、下枠１１に奥行き方向に変位可能に締着固定されたアダプタ１８と、アダプタ１８の下端に締着固定された戸の脚２４と、アダプタ１８を奥行き方向に変位させる位置調整機構と、を備える。
【００１８】
下枠１１は、矩形平板状の鋼板を折り曲げて断面略Ｌ字形に作製され、矩形平板状の基部１２と、基部１２の一端から直角に曲げられた矩形平板状の被取付部１３と、被取付部１３の端部から基部１２と同じ方向に直角に曲げられた矩形平板状の調整部１４と、を備えている。なお、調整部１４の被取付部１３からの延出長さは、基部１２の延出長さより短くなっている。被取付部１３には、アダプタ締着用の雌ねじ部１５が被取付部１３の長さ方向に離間して２つ形成されている。また、位置調整用目盛り１６が、被取付部１３の上面の、２つの雌ねじ部１５の被取付部１３の長さ方向の外側に、それぞれ形成されている。さらに、位置調整用の雌ねじ部１７が、調整部１４の長さ方向に関し、雌ねじ部１５のそれぞれの近傍に位置するように、調整部１４に形成されている。
【００１９】
アダプタ１８は、矩形平板状の鋼板を折り曲げて断面略Ｌ字形に作製され、矩形平板状の取付部１９と、取付部１９の一端から直角に曲げられた矩形平板状の支持部２０と、を備えている。長穴２１が、穴の長手方向を取付部１９の長さ方向と直交する方向として、取付部１９の長さ方向の両端側に、それぞれ穿設されている。切り欠き２２が、取付部１９の長さ方向の両端部に、それぞれ形成されている。大径の穴２３ａと小径の穴２３ｂとがつながった形状のだるま穴２３が、小径の穴２３ｂを取付部１９側に向けて、支持部２０の長さ方向の両側に、それぞれ穿設されている。
【００２０】
戸の脚２４は、平板状の取付金２５と、取付金２５の下端に固着された摺動片２６と、を備えている。戸の脚２４は、取付金２５の上端をボルト２７で支持部２０の延出端に締着固定されて、アダプタ１８の長さ方向に離間して配設されている。
調整ねじ２９は、頭部２９ａとねじ部２９ｂとが連結部２９ｃを介して連結されて構成されている。調整ねじ２９は、支持部２０に形成されただるま穴２３に装着されて調整部１４に形成された雌ねじ部１７に螺合される。
【００２１】
ここで、調整部１４に形成された雌ねじ部１７、および支持部２０に形成されただるま穴２３に装着される調整ねじ２９が、位置調整機構を構成する。
【００２２】
なお、長穴２１の間隔は、アダプタ締着用の雌ねじ部１５の間隔と等しい。また、だるま穴２３の小径の穴２３ｂは、アダプタ１８を被取付部１３に取り付けた際に、雌ねじ部１７と同軸となっている。調整ねじ２９の頭部２９ａおよびねじ部２９ｂの外径は、穴２３ａの径より小さく、穴２３ｂの径より大きい。連結部２９ｃは、その外径が穴２３ｂの径より僅かに小さく、長さが支持部２０の板厚より僅かに大きい。
【００２３】
このように構成された戸の案内装置１０を据え付けるには、まず、被取付部１３を上方に向けて、基部１２をかごの戸５の裏面（昇降路側の面）の下端部に溶接等により固着し、下枠１１を取り付ける。これにより、下枠１１が、かごの戸５の裏面下端部に、被取付部１３を上方に向けて、間口方向に延在するように配設される。
【００２４】
ついで、調整ねじ２９のねじ部２９ｂを調整部１４に形成された雌ねじ部１７に螺着する。そして、大径の穴２３ａに頭部２９ａを通してアダプタ１８を下げ、連結部２９ｃを小径の穴２３ｂ内に嵌め入れる。これにより、調整ねじ２９は、支持部２０に対して、回転可能に、かつ軸方向の移動を規制される。また、取付部１９が被取付部１３の上面に載置され、摺動片２６が敷居溝６ａに嵌り込む。ついで、取付ボルト２８を長穴２１に通して雌ねじ部１５に緩く締着する。そして、作業者は、取付部１９からはみ出ている位置調整用目盛り１６を見ながらドライバー３０で調整ねじ２９を回す。これにより、調整ねじ２９の調整部１４からの延出量が変わり、アダプタ１８が奥行き方向に進退する。このとき、摺動片２６が敷居溝６ａに嵌り込んでいるので、ドアレールに吊設されているかごの戸５の下端側が奥行き方向に進退し、かごの戸５と出入り口枠４との間の隙間が調整される。そして、アダプタ１８（かごの戸５の下端側）の奥行き方向の位置が決まると、取付ボルト２８を締着してアダプタ１８を下枠１１に固着し、戸の案内装置１０の据え付け調整作業が完了する。
【００２５】
この実施の形態１によれば、位置調整用目盛り１６が被取付部１３の上面に形成されている。そこで、作業者は、上方から位置調整用目盛り１６を見ながら、調整ねじ２９を回して、かごの戸５の下端側（アダプタ１８）の奥行き方向の位置を決めることができ、戸の案内装置１０の据え付け調整作業時間を短縮できる。
アダプタ１８が下枠１１の被取付部１３の雌ねじ部１５に取付ボルト２８を締着して取り付けられているので、長い間の振動による取付ボルト２８の締着の緩みの発生が抑えられ、戸の脚２４の位置ずれの発生を抑制することができる。
楔状のスペーサや調整片が不要となり、構造が簡略化され、低コスト化が図られる。
【００２６】
実施の形態２．
図６はこの発明の実施の形態２に係るエレベータの戸の案内装置の取り付け状態を示す要部斜視図、図７はこの発明の実施の形態２に係るエレベータの戸の案内装置の位置調整作業を説明する斜視図である。
【００２７】
図６において、位置調整用穴３１が、アダプタ１８が下枠１１に取り付けられた際に、切り欠き２２と重なるように被取付部１３に形成されている。
なお、他の構成は上記実施の形態１と同様に構成されている。
【００２８】
この戸の案内装置１０Ａを取り付けるには、まず、被取付部１３を上方に向けて、基部１２をかごの戸５の裏面（昇降路側の面）の下端部に溶接等により固着し、下枠１１を取り付ける。ついで、取付部１９を被取付部１３の上面に載置し、取付ボルト２８を長穴２１に通して雌ねじ部１５に緩く締着する。このとき、摺動片２６が敷居溝６ａに嵌り込む。ついで、作業者は、図７に示されるように、取付部１９からはみ出ている位置調整用目盛り１６を見ながらドライバー３０のロッド先端を切り欠き２２から位置調整用穴３１に差し込み、こじる。これにより、アダプタ１８が奥行き方向に進退し、すなわちかごの戸５の下端側が奥行き方向に進退し、かごの戸５と出入り口枠４との間の隙間が調整される。そして、かごの戸５の下端側（アダプタ１８）の奥行き方向の位置が決まると、取付ボルト２８を締着してアダプタ１８を下枠１１に固着し、戸の案内装置１０の据え付け調整作業が完了する。
【００２９】
この実施の形態２においても、位置調整用目盛り１６が被取付部１３の上面に形成されている。そこで、作業者は、上方から位置調整用目盛り１６を見ながら、度ランバー３０のロッド先端を切り欠き２２から位置調整用穴３１に差し込み、こじることで、かごの戸５の下端側（アダプタ１８）の奥行き方向の位置を決めることができ、戸の案内装置１０の据え付け調整作業時間を短縮できる。
アダプタ１８が下枠１１の被取付部１３の雌ねじ部１５に取付ボルト２８を締着して取り付けられているので、長い間の振動による取付ボルト２８の締着の緩みの発生が抑えられ、戸の脚２４の位置ずれの発生を抑制することができる。
楔状のスペーサや調整片が不要となり、構造が簡略化され、低コスト化が図られる。
【００３０】
この実施の形態２によれば、調整ねじ３０が不要となるので、調整ねじ３０を雌ねじ部１７に螺着した後、調整ねじ３０の連結部３０ｃをだるま穴２３の小径の穴２３ｂに嵌め入れる作業が不要となり、戸の案内装置の据え付け調整作業が簡易となる。
【００３１】
なお、上記各実施の形態では、かごの戸が２枚片開き戸であるものとしているが、かごの戸の枚数は２枚に限定されない。
また、上記各実施の形態では、かごの戸が２枚片開き戸であるものとしているが、かごの戸は片開き戸に限定されず、両開き戸でもよい。
また、上記各実施の形態では、戸の案内装置をかごの戸に適用するものとして説明しているが、戸の案内装置は乗り場の戸に適用しても、同様の効果を奏する。
【符号の説明】
【００３２】
５  かごの戸、６  かご敷居、６ａ  敷居溝、１０，１０Ａ  戸の案内装置、１１  下枠（被取り付け部材）、１２  基部、１３  被取付部、１４  調整部、１５  雌ねじ部、１７  雌ねじ部、１８  アダプタ、１９  取付部、２０  支持部、２２  切り欠き、２４  戸の脚、２９  調整ねじ、３０  ドライバー、３１  位置調整用穴。
【図１】
2014009099.tif 000003
【図２】
2014009099.tif 000004
【図３】
2014009099.tif 000005
【図４】
2014009099.tif 000006
【図５】
2014009099.tif 000007
【図６】
2014009099.tif 000008
【図７】
2014009099.tif 000009